(57)【要約】【課題】手指で書いた手書き文字を認識する機能に於いて、文字認識の区切りを手指での簡単な操作入力で実現する。【解決手段】ケース体の表面又は表面近傍の所定部位に面状に設けられたインピーダンス感知手段３１（３２）と、インピーダンス変化が検出された領域内から所定の位置を求めて当該位置の時間的な変化を集合的に操作入力信号として生成する入力信号生成手段と、インピーダンス変化が同時に複数領域で検出された場合を前記入力信号生成手段が生成した操作入力信号の区切りとして制御する入力信号制御手段とを有する携帯型電子装置。【選択図】      図２
2004272846.tif 000002
【特許請求の範囲】
【請求項１】
操作入力信号に応じて動作する携帯型電子装置であって、
前記携帯型電子装置のケース体の表面又は表面近傍の所定部位に面状に設けられたインピーダンス感知手段と、
前記インピーダンス感知手段によりインピーダンス変化が検出された領域内から所定の位置を求めて当該位置の時間的な変化を集合的に操作入力信号として生成する入力信号生成手段と、
前記インピーダンス感知手段によりインピーダンス変化が同時に複数領域で検出された場合を前記入力信号生成手段が生成した操作入力信号の区切りとして制御する入力信号制御手段と、
を有することを特徴とする携帯型電子装置。
【請求項２】
請求項１に於いて、
前記入力信号生成手段が生成した操作入力信号の軌跡に基づいて文字を認識する文字認識手段を更に有し、
前記入力信号制御手段は、前記区切りを前記入力信号生成手段が生成した操作入力信号に基づく文字認識の区切りとして前記文字認識手段に与える、
ことを特徴とする携帯型電子装置。
【請求項３】
操作入力信号に応じて動作する携帯型電子装置であって、
前記携帯型電子装置のケース体の表面又は表面近傍の所定部位に面状に設けられたインピーダンス感知手段と、
前記インピーダンス感知手段によりインピーダンス変化が同時に検出された領域の個数を取得する検出個数取得手段と、
前記インピーダンス変化が同時に検出された領域の個数に対応する意味を持つ操作入力信号を生成する入力信号生成手段と、
を有することを特徴とする携帯型電子装置。
【請求項４】
操作入力信号に応じて動作する携帯型電子装置であって、
前記携帯型電子装置のケース体の表面又は表面近傍の所定部位に面状に設けられたインピーダンス感知手段と、
前記インピーダンス感知手段によりインピーダンス変化が同時に検出された領域の個数を取得する検出個数取得手段と、
前記インピーダンス感知手段によるインピーダンス変化の検出に応じて操作入力信号を生成する入力信号生成手段と、
前記インピーダンス変化が検出された領域の個数に応じて前記入力信号生成手段が生成した操作入力信号を制御する入力信号制御手段と、
を有することを特徴とする携帯型電子装置。
【請求項５】
請求項１〜請求項４の何れかに於いて、
複数のキーを有するキーパッドを更に有し、
前記インピーダンス感知手段は、前記キーパッドの下方に設けられた静電容量感知手段である、
ことを特徴とする携帯型電子装置。
【請求項６】
請求項１〜請求項５の何れかに於いて、
前記携帯型電子装置は移動電話機である、
ことを特徴とする携帯型電子装置。
【請求項７】
請求項１〜請求項５の何れかに於いて、
前記携帯型電子装置は携帯情報端末である、
ことを特徴とする携帯型電子装置。
【請求項８】
請求項１〜請求項５の何れかに於いて、
前記携帯型電子装置はノートパソコンである、
ことを特徴とする携帯型電子装置。
【発明の詳細な説明】
【０００１】
【発明の属する技術分野】
本発明は、移動電話機，携帯情報端末（ＰＤＡ），ノートパソコン等の携帯型の電子装置（以下「移動電話機等」）に関する。詳しくは、操作者が移動電話機等の所定の領域に於いて同時に手指を触れる箇所の数を検出して、該検出した個数に応じて所望の機能を実現するようにした移動電話機等に関する。
【０００２】
【従来の技術】
タッチパッド上にスタイラスペン等で手書きした文字を認識する機能を持つＰＤＡ等の携帯型電子装置では、第１の手書き文字と第２の手書き文字との区切りを、下記（１）（２）のように認識している。
（１）区切りを入力するためのキー等を別途設けておき、該キー等からの入力を区切りとして検出する。
（２）手書き文字用の入力エリアを２つ設けておき、第１の入力エリアから第２の入力エリアへ入力を移したときを区切りとして検出する。
【０００３】
下面側に静電容量感知プレートを設けたキーマットを用いてキーパッドを構成することにより、従来と同様のキー入力機能を持ち、さらに、手指のタッチを検出する手指検出パッドとしての入力機能をも併せ持たせたユーザインターフェース装置（移動電話機等のユーザインターフェース装置）が開示されている（特許文献１参照）。
【０００４】
【特許文献１】
特開２００２−１９６８５６。
【０００５】
【発明が解決しようとする課題】
前記（１）の技術では区切り入力用のキーが必要となる。また、前記（２）の技術は入力エリアを２つ持つ必要がある。いずれも部品点数が多くなり、コスト高となる。また、狭い面積に対して手指で操作入力を行いたいという装置（移動電話機等）での実現は困難である。
本発明は、移動電話機等に手指で触れることにより所望の機能を実現させる際の操作性を向上させることを目的とする。
所望の機能とは、例えば、（１）手指で手書きした文字を認識するアプリケーションに対して文字と文字の区切りを手指の入力で与える機能、（２）手指で触れた箇所の数に応じて決まる処理を実行する機能、（３）手指で触れた箇所の数に応じてアプリケーション毎に決まる処理を実行する機能、等である。
【０００６】
【課題を解決するための手段】
本発明は、下記［１］〜［８］のように構成される。
［１］構成１：
操作入力信号に応じて動作する携帯型電子装置であって、
前記携帯型電子装置のケース体の表面又は表面近傍の所定部位に面状に設けられたインピーダンス感知手段と、
前記インピーダンス感知手段によりインピーダンス変化が検出された領域内から所定の位置を求めて当該位置の時間的な変化を集合的に操作入力信号として生成する入力信号生成手段と、
前記インピーダンス感知手段によりインピーダンス変化が同時に複数領域で検出された場合を前記入力信号生成手段が生成した操作入力信号の区切りとして制御する入力信号制御手段と、
を有することを特徴とする携帯型電子装置。
【０００７】
操作入力信号とは、操作者の入力操作により入力された信号の意味である。
インピーダンス感知手段としては、例えば、静電容量感知手段を挙げることができるが、静電容量感知手段に限定されない。抵抗変化を感知する手段等の公知のインピーダンス感知手段を適宜に用いてもよい。静電容量感知手段の一具体例については、実施の形態の項にて詳述する。
インピーダンス感知手段は、携帯型電子装置のケース体の表面又は表面近傍の所定部位（文字等の入力エリアとして用いる所定部位）に面状に設けられる。ここで、面状とは、平面形状ばかりでなく、ケース体の表面に沿う等の曲面形状をも含む。インピーダンス感知手段は、プレート状でもよく、可撓性を有するフィルム状でもよい。
【０００８】
インピーダンス変化検出のチェック対象は、図２（ｂ）にＲ１，Ｒ２等として例示する領域、即ち、二次元的に連続する複数ドットから成る領域である。各ドットのインピーダンス変化は、例えば、以下のように検出する。
図２（ｂ）に於いて、「１」「０」等が記載されている位置は、静電容量式センサのストライプ状の第１電極群と、該第１電極と直交する方向のストライプ状の第２電極群との交叉位置を示す。なお、第１電極群は第１プレート上に形成されており、第２電極群は第１プレートと一体に接着される第２プレート上に形成されている。また、静電容量式センサは、インピーダンス感知手段の一具体例である。手指が静電容量式センサに接触（又は１ｍｍ程度まで近接）すると、該接触部位付近で第１電極と第２電極間の静電容量が変化し、これを信号として出力する。図４（ｂ）ではこの信号を出力した部分を「１」として示している。こうして、手指の接触が検出される。
【０００９】
「インピーダンス感知手段によりインピーダンス変化が検出された領域内から所定の位置を求めて当該位置の時間的な変化を集合的に操作入力信号とする」について説明する。
インピーダンス変化検出領域内から求める所定の位置とは、面状のインピーダンス感知手段上の領域内での前記検出領域の重心位置である。なお、重心以外の他の代表位置を用いてもよい。以下、重心位置等という。インピーダンス感知手段が曲面を成す場合は、該曲面を平面に展開して得る領域を、上記インピーダンス感知手段上の領域として採用する。
インピーダンス感知手段上の領域内の各座標に１対１に対応する座標を持つ領域をメモリ上に設け、前記検出領域の重心位置等の時間的変化を記録することにより操作入力信号が描く軌跡を得る。
【００１０】
［２］構成２：
前記［１］の構成に於いて、
前記入力信号生成手段が生成した操作入力信号の軌跡に基づいて文字を認識する文字認識手段を更に有し、
前記入力信号制御手段は、前記区切りを前記入力信号生成手段が生成した操作入力信号に基づく文字認識の区切りとして前記文字認識手段に与える、
ことを特徴とする携帯型電子装置。
【００１１】
手書きした軌跡として蓄積した座標から文字認識を行う技術については、例えば「コンピュータによる手書き文字認識（ｈｔｔｐ：／／ｗｗｗ．ｎｅｍｏｔｏ．ｅｃｅｉ．ｔｏｈｏｋｕ．ａｃ．ｊｐ／〜ｗａｉ／ｍａｎｕ／ｍａｎｕ／．ｈｔｍｌ）」に紹介されており、公知である。
前述のように、入力信号制御手段は、インピーダンス変化が同時に複数領域で検出された場合を、入力信号生成手段が生成した操作入力信号の区切りとして制御する。この区切りを、文字認識の区切りとして文字認識手段に与える。これにより、文字認識手段は、前回の区切りから今回の区切りまでの操作入力信号の軌跡に基づいて文字を認識する。
【００１２】
［３］構成３：
操作入力信号に応じて動作する携帯型電子装置であって、
前記携帯型電子装置のケース体の表面又は表面近傍の所定部位に面状に設けられたインピーダンス感知手段と、
前記インピーダンス感知手段によりインピーダンス変化が同時に検出された領域の個数を取得する検出個数取得手段と、
前記インピーダンス変化が同時に検出された領域の個数に対応する意味を持つ操作入力信号を生成する入力信号生成手段と、
を有することを特徴とする携帯型電子装置。
【００１３】
「検出領域の個数に対応して操作入力信号に持たせる意味」としては、種々の場合が想定される。
例えば、検出領域の個数とアプリケーションとを対応付けておき、メニュー画面に所定本数の手指で触れることにより、該所定本数に対応したアプリケーションを起動するようにしてもよい。
また、階層構造のメニュー画面に所定本数の手指で触れることにより、階層を深くしたり、又は、浅くしたりするようにしてもよい。
また、ゲームソフト等に於いて、例えば、２本の手指で画面に触れた場合を右移動、３本の手指で触れた場合を左移動、等としてもよい。
なお、これらは例示であり、前記「操作入力信号に持たせる意味」がこれらに限定されないことは勿論である。
【００１４】
［４］構成４：
操作入力信号に応じて動作する携帯型電子装置であって、
前記携帯型電子装置のケース体の表面又は表面近傍の所定部位に面状に設けられたインピーダンス感知手段と、
前記インピーダンス感知手段によりインピーダンス変化が同時に検出された領域の個数を取得する検出個数取得手段と、
前記インピーダンス感知手段によるインピーダンス変化の検出に応じて操作入力信号を生成する入力信号生成手段と、
前記インピーダンス変化が検出された領域の個数に応じて前記入力信号生成手段が生成した操作入力信号を制御する入力信号制御手段と、
を有することを特徴とする携帯型電子装置。
この［４］の構成は、前記［３］の構成と略同様であるが、前記［３］の構成では「持たせる意味」が固定されてしまうのに対して、この［４］では適宜に制御可能である。
【００１５】
［５］構成５：
前記［１］〜［４］の何れかの構成に於いて、
複数のキーを有するキーパッドを更に有し、
前記インピーダンス感知手段は、前記キーパッドの下方に設けられた静電容量感知手段である、
ことを特徴とする携帯型電子装置。
複数のキーは、例えば、携帯型電子装置が移動電話機の場合は、テンキーと少数の機能キーである。インピーダンス感知手段をキーパッドの下方のみに設けてもよく、キーパッドより広く設けてもよい。
インピーダンス感知手段３１（３２）がキーパッド２１（２２）の下方に設けられている例を、図４（ａ）に示す。
【００１６】
［６］構成６：
前記［１］〜［５］の構成の何れかに於いて、
前記携帯型電子装置は移動電話機である、
ことを特徴とする携帯型電子装置。
［７］構成７：
前記［１］〜［５］の構成の何れかに於いて、
前記携帯型電子装置は携帯情報端末である、
ことを特徴とする携帯型電子装置。
［８］構成８：
前記［１］〜［５］の構成の何れかに於いて、
前記携帯型電子装置はノートパソコンである、
ことを特徴とする携帯型電子装置。
【００１７】
【発明の実施の形態】
以下、図面を参照して、本発明の携帯型電子装置を移動電話機として具体化した実施の形態を説明する。
図１は実施の形態の移動電話機の構成を示すブロック図、図２（ａ）は該移動電話機の上面図、同図（ｂ）は該移動電話機の静電容量センサによる検出領域の説明図、図３は図２（ａ）のＡ−Ａ部分に設けられている静電容量センサとキーパッドを分解して模式的に示す斜視図である。また、図４と図５はそれぞれ上記静電容量センサによる検出結果に応じて処理を行う手順の例を示すフローチャートである。
【００１８】
図２（ａ）に例示する移動電話機は、液晶ディスプレイ６０、キーパッドの構成要素であるキーマット２１上に設けられたキー群（テンキーやファンクションキー）２１ａ，２１ｂ，，，（図３参照）、音声入力装置（マイクロフォン）７２、音声出力装置（受話口）７１、アンテナ５０、等の各種の部材を有し、これらが、ケース内又はケース外に一体に組付けられている。また、不図示のバッテリーが、着脱自在に設けられている。
【００１９】
キーパッドは、図３に示すように、キーマット２１と可撓性基板２２とを有しており（以下「キーパッド２０」という）、キーマット２１と可撓性基板２２との間に、インピーダンス感知手段の具体例である静電容量センサ（第１プレート３１と第２プレート３２から構成されるセンサ；以下「静電容量センサ３０」という）が挟み込まれて、接着層１１，１３により接着されている。なお、図３に示す構成は、図２（ａ）の如くキーパッド２０の下に静電容量センサ３０を設ける場合の一構成を例示するものであり、キーパッドが無い構成や、キーパッドとは別の部位に静電容量センサを設ける構成では、図３に示す構成とは異なる構成を採用する。また、図２（ａ）の如くキーパッド２０の下に静電容量センサ３０を設ける場合であっても、必ずしも図３のように構成する必要は無く、キーパッド２０の下に静電容量センサ３０を位置させ得る構成であれば、適宜に採用してよいことは勿論である。また、キーマット２１と可撓性基板２２との間に静電容量センサ３０（３１・３２）を挟み込む場合に関しても、接着層１１，１３を必ずしも介在させる必要はなく、キーマット２１と可撓性基板２２との間に静電容量センサ３０（３１・３２）を挟み込み得る構成であれば適宜に採用してよいことは勿論である。
【００２０】
キーマット２１の上面には、図３に例示するように、キー群（テンキーやファンクションキー等）２１ａ，２１ｂ，，，が設けられており、これらのキー群に対応付けて、可撓性基板２２上にそれぞれ金属コンタクト２２ａ，２２ｂ，，，が設けられている。ユーザが所望のキー２１ａ／２１ｂ／／／を押圧すると、該キーに加えた押圧力が静電容量センサ３０（３１・３２）を介して直下位置の金属コンタクト２２ａ／２２ｂ／／／に伝わり、これにより、当該金属コンタクトが、電気信号をキーパッドインターフェース回路２０１へ出力する。即ち、キーの押圧が検出される。
キー押下時のクリック感（金属ノック感）を出すために、キー群２１ａ，２１ｂ，，，等の各キーの下部中央部分に突起を設けるとともに、中間に位置する静電容量センサ３０（３１・３２）等の対応部位に穴をあけておき、上記突起を金属コンタクト２２ａ，２２ｂ等まで貫通させるように構成してもよい。
【００２１】
静電容量センサ３０は、先述のように、第１プレート３１と第２プレート３２から成り、接着層１２により接着されて一体化されている。両プレート３１，３２にはそれぞれストライプ状の電極（例：ＩＴＯ電極）が形成されており、このストライプ状の電極が直交方向を成すように（＝格子を構成するように）、第１プレート３１と第２プレート３２が設けられる。指先等の人体の部位が接触（又は近接）すると、該接触（又は近接）部位付近の第１プレート３１の電極と、第２プレート３２の電極との間の静電容量が変化し、これが、静電容量インターフェース３０１へ出力される。即ち、静電容量の変化が検出される。なお、かかる構成は静電容量センサの一例を示すものであり、上記以外の他の構成の静電容量センサであっても、適宜に採用してよいことは勿論である。
【００２２】
本移動電話機の回路は、図１に示すように、音声入力装置７２から入力される電気信号（音声信号）を符号化して無線インターフェース回路８２へ与えるとともに、無線インターフェース回路８２から与えられるデータ（音声データ等；音声データ以外のデータについては説明を省略する）を復号して電気信号（音声信号）として音声出力装置７１へ出力することにより音声を出力させるコーデック回路８１と、コーデック回路８１から与えられるデータを電気信号に変換してアンテナ５０から出力するとともに、アンテナ５０にて受信された電気信号をデータ（音声データ等；音声データ以外のデータについては説明を省略する）に変換してコーデック回路８１へ出力する無線インターフェース回路８２と、コーデック回路８１や無線インターフェース回路８２の動作を制御等するコントローラ８３と、コントローラ８３が必要に応じて使用するメモリ８４を有する。コーデック回路８１、無線インターフェース回路８２、コントローラ８３、メモリ８４により、従来公知の移動電話機回路８０が構成される。
【００２３】
コントローラ８３には、上記コーデック回路８１や無線インターフェース回路８２以外に、キーパッド２０のキー群２１ａ，２１ｂ，，，の押圧によって生成された電気信号（押圧検出信号）が、キーパッドインターフェース回路２０１でデータ（押圧検出データ）に変換されて、入力される。また、コントローラ８３には、人体の接触（又は近接）に応じて静電容量センサ３０にて検出された静電容量の変化が、静電容量センサインターフェース回路３０１でデータに変換されて入力される。
【００２４】
上記の入力に対応する処理を、フローチャートを参照して説明する。
図４は、静電容量センサ３０上を１本の手指でなぞって文字を手書きしている時に、同時に２本の手指が接触したことが静電容量センサ３０により検出されると、これを、文字認識の区切りとして処理して、直前までの軌跡に基づいて文字認識を行う手順を示す。
【００２５】
ステップＳ１１では、静電容量センサ３０の検出信号を取り込む。
ステップＳ１３では、静電容量センサ３０の検出信号を取り込むことに起因するエラーが検出されたか否かをチェックする。その結果、エラーが検出されなかった場合は（Ｓ１３でＮＯ）、静電容量センサ３０の検出領域の重心位置の座標を求めて、これを、メモリ上の所定のエリアに保持する（Ｓ１５）。
【００２６】
静電容量センサ３０の検出信号を取り込むことに起因するエラーが検出された場合は（Ｓ１３でＹＥＳ）、エラーの種別を取得する（Ｓ１７）。
【００２７】
ステップＳ１７で取得したエラーの種別が、同時に２本の手指が静電容量センサ３０に接触したことによるエラーであった場合は（Ｓ１９でＹＥＳ）、メモリ上の所定のエリアに保持している各重心位置の座標（＝重心位置の軌跡）に基づいて文字を認識する（Ｓ２１；Ｓ１５参照）。また、認識した文字を表示装置等へ出力して、従前の保持データ（重心位置の軌跡）をクリアする（Ｓ２３）。これにより、次の文字の入力が可能となる。
【００２８】
その後、ステップＳ０１へ戻る。以上の処理を、文字認識処理のアプリケーションが終了するまで（Ｓ０１でＮＯの間）、繰り返して実行する。
なお、ステップＳ１７で取得したエラー種別が、同時に２本の手指が静電容量センサ３０に接触したことによるエラー以外のエラーであった場合は（Ｓ１９でＮＯ）、当該エラーに対応した処理を実行する（Ｓ２５）。
【００２９】
図５は、文字認識以外のアプリケーション（例：ゲーム等）に於いて、１本の手指による入力を当該アプリケーションの通常の入力として処理し、複数本の手指による入力を、所定の処理として処理する手順を示す。
【００３０】
ステップＳ６１では、静電容量センサ３０の検出信号を取り込む。
ステップＳ６３では、静電容量センサ３０の検出信号を取り込むことに起因するエラーが検出されたか否かをチェックする。その結果、エラーが検出されなかった場合は（Ｓ６３でＮＯ）、静電容量センサ３０による検出を、当該アプリケーションの通常の入力として処理する（Ｓ６５）。
【００３１】
静電容量センサ３０の検出信号を取り込むことに起因するエラーが検出された場合は（Ｓ６３でＹＥＳ）、エラーの種別を取得する（Ｓ６７）。
【００３２】
ステップＳ６７で取得したエラーの種別が、同時に２本の手指が静電容量センサ３０に接触したことによるエラーであった場合は（Ｓ６９でＹＥＳ）、静電容量センサ３０により検出された領域の数を取得し（Ｓ７１）、該取得した領域数に対応する処理を領域数−処理テーブル（図５（ｂ））から取得し、該取得した処理を実行する（Ｓ７５）。図示の例では、検出された領域数が２の場合は「左上への移動」、検出された領域数が３の場合は「中央への移動」、検出された領域数が４の場合は「右下への移動」を行う。
【００３３】
その後、ステップＳ５１へ戻る。以上の処理を、当該のアプリケーションが終了するまで（Ｓ５１でＮＯの間）、繰り返して実行する。
なお、ステップＳ６７で取得したエラー種別が、同時に２本の手指が静電容量センサ３０に接触したことによるエラー以外のエラーであった場合は（Ｓ６９でＮＯ）、当該エラーに対応した処理を実行する（Ｓ７７）。
【００３４】
【発明の効果】
操作入力信号に応じて動作する前記［１］の構成の携帯型電子装置は、該携帯型電子装置のケース体の表面又は表面近傍の所定部位に面状に設けられたインピーダンス感知手段と、インピーダンス変化が検出された領域内から所定の位置を求めて当該位置の時間的な変化を集合的に操作入力信号として生成する入力信号生成手段と、インピーダンス変化が同時に複数領域で検出された場合を前記入力信号生成手段が生成した操作入力信号の区切りとして制御する入力信号制御手段とを有するため、同時に複数領域でインピーダンス変化が検出された場合を、例えば、手指で書いた手書き文字を認識する機能に於ける文字認識の区切りとして処理することができる。このため、文字認識機能等、当該アプリケーションの機能の操作性を向上させることができる。
【００３５】
操作入力信号に応じて動作する前記［３］の構成の携帯型電子装置は、該携帯型電子装置のケース体の表面又は表面近傍の所定部位に面状に設けられたインピーダンス感知手段と、インピーダンス変化が同時に検出された領域の個数を取得する検出個数取得手段と、インピーダンス変化が同時に検出された領域の個数に対応する意味を持つ操作入力信号を生成する入力信号生成手段とを有するため、同時にインピーダンス変化が検出された領域の個数に応じた意味を持つ操作入力信号を生成することができる。即ち、簡単な操作で複数の意味の入力を使い分けることができ、操作性を向上させることができる。
【００３６】
操作入力信号に応じて動作する前記［４］の構成の携帯型電子装置は、該携帯型電子装置のケース体の表面又は表面近傍の所定部位に面状に設けられたインピーダンス感知手段と、インピーダンス変化が同時に検出された領域の個数を取得する検出個数取得手段と、インピーダンス変化の検出に応じて操作入力信号を生成する入力信号生成手段と、インピーダンス変化が検出された領域の個数に応じて前記入力信号生成手段が生成した操作入力信号を制御する入力信号制御手段とを有するため、インピーダンス変化が同時に検出された領域の個数に応じて同じ操作入力信号を異なる意味の操作入力信号として使い分けることができる。このため、多様な操作入力を行うことができる。
【図面の簡単な説明】
【図１】実施の形態の移動電話機の構成を示すブロック図。
【図２】（ａ）は図１の移動電話機の上面図、（ｂ）は図１の移動電話機の静電容量センサによる検出領域の説明図。
【図３】図２（ａ）のＡ−Ａ部分に設けられている静電容量センサとキーパッドを分解して模式的に示す斜視図。
【図４】静電容量センサによる検出結果に応じて処理を行う手順の例を示すフローチャート。
【図５】静電容量センサによる検出結果に応じて処理を行う図４とは別の手順の例を示すフローチャート。
【符号の説明】
２１  キーパッドのキーマット
２２  キーパッドの可撓性基板
３１  静電容量センサの第１プレート
３２  静電容量センサの第２プレート
５０  アンテナ
６０  液晶パネル（ディスプレイ）
【図１】
2004272846.tif 000003
【図２】
2004272846.tif 000004
【図３】
2004272846.tif 000005
【図４】
2004272846.tif 000006
【図５】
2004272846.tif 000007